【事件の表示】
　特許第３４４０４５１号「画像印刷装置」の請求項１から請求項６までに係る特許に対する特許異議の申立てについて、次のとおり決定する。
【結　論】
　訂正を認める。
　特許第３４４０４５１号の請求項１から請求項４までに係る特許を維持する。
【理　由】
１．手続の経緯
　本件特許（特許第３４４０４５１号、設定登録時の請求項の数：６）に係る発明についての出願は、平成１２年８月２９日の出願であり、その発明について、平成１５年６月２０日に特許権の設定の登録がされた。
　その後、その請求項１から請求項６まで（全請求項）に係る特許について平成１５年１２月２６日に、上杉則亮から特許異議の申立てがあった。
　平成１７年５月１８日付けで取消しの理由が通知されたところ、同通知において指定された期間内（平成１７年７月２６日）に、訂正請求書が提出された。
　
２．訂正の請求
（１）結論
　訂正を認める。
（２）理由
　（ａ）請求の趣旨
　平成１７年７月２６日付け訂正請求書（本件訂正という）の趣旨は、願書に添付した明細書（特許明細書）を訂正請求書に添付した訂正した明細書（訂正明細書）のとおりに訂正することを求めるものである。
　（ｂ）訂正の内容
　〈訂正事項１〉
　請求項１において、
　「被写体を撮影する撮影手段と、前記撮影手段により撮影された前記被写体の画像に対応する光を投光する投光手段と、前記投光手段により投光された光に対応する画像を表示する表示手段と、前記表示手段により表示された前記画像に対する編集情報を入力する入力手段と、前記入力手段からの編集入力を受け付ける受付手段と、前記受付手段により受け付けられた前記編集入力に基づいて前記画像を編集する編集手段と、前記編集手段により編集された前記画像を印刷する印刷手段とを備え、
　前記受付手段は、前記表示手段に表示された前記画像に対する前記編集入力の入力位置を、前記入力手段から、前記表示手段を介して筐体内部に入射された光を検出することにより受け付けることを特徴とする画像印刷装置。」（訂正前）とあるのを、
　「被写体を撮影する撮影手段と、
前記撮影手段が撮影するとき、前記被写体に光を照射する複数の照射手段と、筐体内部に設置され、
前記表示手段に対して光を発することにより、
２つの
　
前記複数の照射手段は、前記投光手段の左右近傍に設置され、前記表示手段を介して、前記被写体に光を照射し、
前記投光手段の奥行き方向に設けられ、
前記
　〈訂正事項２〉
　請求項２を削除する。
　〈訂正事項３〉
　請求項３を削除する。
　〈訂正事項４〉
　請求項４（訂正前）を新たに請求項２とし、
　請求項４（訂正前）に、
　「前記撮影手段が前記被写体を撮影するとき、前記表示手段には、その全面に白の画像が表示されることを特徴とする請求項２に記載の画像印刷装置。」（訂正前）とあるのを、
　「前記撮影手段が前記被写体を撮影するとき、前記表示手段には、その全面に白の画像が表示されることを特徴とする
請求項１
　〈訂正事項５〉
　請求項５（訂正前）を新たに請求項３とし、
　請求項５（訂正前）に、
　「前記表示手段は、利用者が選択した所定のマークを表示し、前記撮影手段は、前記表示手段が前記マークを表示したとき、前記被写体を撮影することを特徴とする請求項１、２または３に記載の画像印刷装置。」（訂正前）とあるのを、
　「前記表示手段は、利用者が選択した所定のマークを表示し、前記撮影手段は、前記表示手段が前記マークを表示したとき、前記被写体を撮影することを特徴とする
請求項１
　〈訂正事項６〉
　請求項６（訂正前）を新たに請求項４とし、
　請求項６（訂正前）に、
　「前記撮影手段を上下左右に案内するレールをさらに備えることを特徴とする請求項１乃至５のいずれかに記載の画像印刷装置。」（訂正前）とあるのを、
　「前記撮影手段を上下左右に案内するレールをさらに備えることを特徴とする請求項１乃至
３
　〈訂正事項７〉
　段落0006および段落0008を訂正する（訂正の内容は省略）。
　
　（ｃ）訂正の適合性
　（ｃ−１）訂正の目的および訂正の範囲
　〈訂正事項１〉
　「前記撮影手段が撮影するとき、前記被写体に光を照射する複数の照射手段と、」（訂正後）との事項は、「画像印刷装置」（訂正前）にその構成要素の一つを付加してその構成を限定するものである。特許請求の範囲の減縮に該当する。そして、当該事項は、特許明細書の段落0036および図３に記載されている。
　「筐体内部に設置され、」（訂正後）との事項は、「撮影手段により撮影された被写体の画像に対応する光を投光する投光手段」（訂正前）につき、その設置場所を限定するものである。特許請求の範囲の減縮に該当する。そして、当該事項は、特許明細書の段落0026および図３に記載されている。
　「前記表示手段に対して光を発することにより、」（訂正後）および「２つの」（訂正後）との事項は、「表示手段により表示された画像に対する編集情報を入力する入力手段」（訂正前）につき、その入力態様および個数を限定するものである。特許請求の範囲の減縮に該当する。そして、当該事項は、明細書の段落0028および図３に記載されている。
　「前記複数の照射手段は、前記投光手段の左右近傍に設置され、前記表示手段を介して、前記被写体に光を照射し、」（訂正後）との事項は、「画像印刷装置」（訂正前）にその構成要素の一つとして付加することとした上記「照射手段」の設置場所を特定するものである。前記のとおり、上記「照射手段」の付加が特許請求の範囲の減縮に該当することから、当該事項も特許請求の範囲の減縮に該当する。そして、当該事項は、特許明細書の段落0036および段落0058に記載されている。
　「前記投光手段の奥行き方向に設けられ、」（訂正後）との事項は、「受付手段」（訂正前）につき、その設置場所を限定するものである。特許請求の範囲の減縮に該当する。そして、当該事項は、特許明細書の段落0037および図３に記載されている。
　〈訂正事項２〉および〈訂正事項３〉
　請求項の削除であり、特許請求の範囲の減縮に該当する。
　〈訂正事項４〉から〈訂正事項６〉まで
　請求項２および請求項３を削除したことに伴い請求項の番号を繰り上げるとともに引用関係を整理するものである。明りょうでない記載の釈明に該当する。なお、新たな請求項２から請求項４までは新たな請求項１を引用するので、特許請求の範囲の減縮に該当する。
　〈訂正事項７〉
　各訂正は、特許請求の範囲の記載と発明の詳細な説明の記載との整合をとるためにする訂正である。いずれも、明りょうでない記載の釈明に該当する。
　以上、訂正事項１から訂正事項７までは、訂正の目的に該当し、願書に添付した明細書または図面に記載した事項の範囲内においてする訂正である。
　（ｃ−２）特許請求の範囲の拡張・変更
　訂正事項１から訂正事項７までについては、訂正の前後において、特許請求の範囲の記載された用語の意義の解釈、産業上の利用分野、解決しようとする課題及び効果に変更をもたらすものではない。いずれも、実質上特許請求の範囲を拡張し又は変更するものではない。
　（ｃ−３）独立特許要件
　訂正後の請求項１から請求項４までについてする訂正がいずれも特許請求の範囲の減縮に該当することは前記のとおりであるところ、そのうち、特許異議の申立てがされていない請求項はない。
　（ｃ−４）まとめ（適合性）
　以上、本件訂正は、特許法第１２０条の４第２項の規定および同条第３項で準用する第１２６条第２項から第４項までの規定に適合する。
　（ｄ）むすび
　以上のとおりであるから、本件訂正を認める。
　
３．本件発明
　本件訂正を認める。
　本件において、訂正後の請求項１から請求項４までに係る発明は、それぞれ、訂正明細書の特許請求の範囲の請求項１から請求項４までに記載した事項によりに特定される下記のとおりのものである。
　　　　　記（訂正明細書の特許請求の範囲）
　【請求項１】　被写体を撮影する撮影手段と、
　
前記撮影手段が撮影するとき、前記被写体に光を照射する複数の照射手段と、
　
筐体内部に設置され、
　前記投光手段により投光された光に対応する画像を表示する表示手段と、
　
前記表示手段に対して光を発することにより、
２つの
　前記入力手段からの編集入力を受け付ける受付手段と、
　前記受付手段により受け付けられた前記編集入力に基づいて前記画像を編集する編集手段と、
　前記編集手段により編集された前記画像を印刷する印刷手段と
　を備え、
　
前記複数の照射手段は、前記投光手段の左右近傍に設置され、前記表示手段を介して、前記被写体に光を照射し、
　前記受付手段は、
前記投光手段の奥行き方向に設けられ、
　ことを特徴とする画像印刷装置。
　【
請求項２
　ことを特徴とする
請求項１
　【
請求項３
　ことを特徴とする
請求項１
　【
請求項４
　ことを特徴とする請求項１乃至
３
　
４．特許異議の申立て
（４−１）申立ての理由
　特許異議の申立ての理由は、概略、下記のとおりである。
　　　　　記（申立ての理由）
　　対　　象：請求項１から請求項６まで
　　違反条項：特許法第２９条第２項
　　証拠方法：特開２０００−６９４０４号公報（甲第１号証）
　　　　　　　特開平７−２４４３３７号公報（甲第２号証）
　　　　　　　特開平１１−１４９１１１号公報（甲第３号証）
　　　　　　　「シリーズ日本カメラ（No．101）、人物の写し方、「補助　　　　　　　　　光」、（160〜162頁）、1994年３月、株式会社日本カ　　　　　　　　　メラ社」（甲第４号証）
　　　　　　　「荒木英二、ＡＲＡ−ＪＩＮ写真セミナー、インターネット　　　　　　　　　＜URL:http://www.fujicolorasami.co.jp（略）＞、
　　　　　　　　　基本編第７回　光の話−１（屋外編）」（甲第５号証）
　　　　　　　特開平１０−２３９７６０号公報（甲第６号証）
　　　　　　　特許第２９８６５４４号公報（甲第７号証）
　　　　　　　特開２０００−１９４０６１公報（甲第８号証）
　
（４−２）申立ての理由の検討
（１）本件各発明について
　（ａ）訂正後の請求項１から請求項４までに係る発明（本件各発明）が備える下記の構成（主要構成）は、申立人が提出した証拠方法のいずれにも記載されていない。また、各証拠方法に記載された事項を組み合わせても導き出すことはできない。
　　　　　記（本件各発明が備える主要構成）
　複数の照射手段は、投光手段の左右近傍に設置され、受付手段は、投光手段の奥行き方向に設けられること。
　（ｂ）そして、本件各発明は、上記主要構成を備えることにより、「被写体を照明する光の光源を、投光手段の近傍に配置することにより、映像用光源のための反射板と、撮影用光源のための反射板とを、それぞれ分けて配置することなく、図３に示すように、反射板４２を１つ設置するだけで、構成することが可能となる。」（段落0013）、「映像出力装置４１の奥行方向には、さらに、入力位置検出カメラ４５が設けられており、利用者がライトペン１４Ｌ、１４Ｒを操作して入力する編集入力の、スクリーン１３に表示された画像に対応する入力位置を検出する。すなわち、ライトペン１４Ｌ、１４Ｒから発せられ、スクリーン１３を透過して筐体１０の内部に入射された赤外線は、反射板４２で反射され、可視光遮断フィルタ４６を介して入力位置検出カメラ４５により受光される。なお、可視光遮断フィルタ４６は、赤外線以外の成分の光を遮断し、ライトペン１４Ｌ、１４Ｒから発せられた赤外線のみを入力位置検出カメラ４５に供給する。」（段落0037）、および、「【発明の効果】本発明の画像印刷装置によれば、撮影した画像を、プロジェクション方式で、大きなスクリーンに表示するようにしたので、多くの利用者が、編集情報を迅速かつ効率的に入力することができる。」（段落0080）との効果を奏するものである。
　（ｃ）訂正後の請求項１から請求項４までに係る発明は、上記証拠方法に記載された発明に基づいて当業者が容易に発明をすることができたものである、とすることはできない。
　
（２）証拠方法の検討
　提出された証拠方法について検討を加えておく。
　（ａ）甲第１号証（特開２０００−６９４０４号公報）
　（ａ１）甲第１号証には、「画像プリント作成装置」に関して以下の事項が記載されている。
　　（ア）「【発明の属する技術分野】本発明は、利用者の撮影画像をシール台紙などのプリント台紙に印刷して出力する画像プリント作成装置に関し、特に撮影した利用者の写真画像上に好みの化粧を施してプリントすることができる画像プリント作成装置に関する。」（段落0001）
　　（イ）「筐体２の前面には、上方から下方へ向かって鏡板５、操作パネル６及び下部扉７が設けられる。鏡板５は利用者が撮影の際に自己の姿勢を映し出してポーズをとるために使用される。鏡板５の略中央には利用者を撮影するためのＣＣＤカメラ８が埋め込まれる。鏡板５の左右両側には照明１９が設けられ、撮影の際に利用者を照明する。」（段落0023）
　　（ウ）「操作パネル６の中央には液晶ディスプレイを利用したモニタ１０が設けられ、その左右両側にタッチペン１１が設けられる。利用者画像の撮影が終了すると、撮影された画像がモニタ１０上に表示され、利用者はタッチペン１１を利用して撮影画像上に化粧処理を施すことができる。化粧処理の詳細については後述する。また、モニタ１０上には、撮影画像の他に、画像プリントの作成及び印刷処理の進行段階に応じて種々の選択ボタン、メッセージなどが表示され、モニタ１０上に表示された選択ボタンをタッチペン１１を利用して選択することにより処理が進行する。」（段落0024）
　　（エ）「プリンタ２０は、画像プリントを作成する部分であり、撮影部５１により撮影され、後述の化粧処理などが施された後の画像（プリントすべきとして確定した画像、以下、「プリント画像」とも呼ぶ。）をシール紙などに印刷し、出力する。」（段落0029）
　　（オ）「モニタ１０は、液晶ディスプレイ６２上に透明なデジタイザ６０が重ねられた構成を採用している。液晶ディスプレイ６２には、上記のフレームバッファの第２の領域に記憶されたデータが表示される。よって、利用者による編集処理中はお絵かきや化粧などが施された状態の撮影画像が液晶ディスプレイ６２上に表示される。デジタイザ６０は、利用者が行った化粧処理、お絵かき処理などの入力データを検出するために使用される。即ち、利用者は液晶ディスプレイ６２上に表示された撮影画像を参照しながら、タッチペン１１を用いてその上に化粧処理、お絵かき処理などを行う。化粧処理などの入力データはデジタイザ６０により検出されて入力データとして表示プロセッサ５４内のフレームバッファの第２の領域に書き込まれる。」（段落0034）
　（ａ２）上記記載によれば、甲第１号証には、本件請求項１での用語を借りて表現すると、撮影手段、照射手段、表示手段、２つの入力手段、受付手段、編集手段および印刷手段を備える画像印刷装置が記載されている。ただ、表示手段は「液晶ディスプレイ」であり本件請求項１にいう「投光手段」を備えるものではない。また、２つの入力手段および受付手段はそれぞれ、「タッチペン１１」、「デジタイザ６０」であり本件請求項１にいう「表示手段に対して光を発することによ（り）」るもの、「表示手段を介して筐体内部に入射された光を検出することにより受け付ける」ものではない。さらに、照射手段は筐体前面の鏡板５の左右両側に設けられており、本件請求項１にいう「表示手段を介して被写体に光を照射（し）」するものでもない。相違が認められる。
　（ｂ）甲第２号証（特開平７−２４４３３７号公報）
　（ｂ１）甲第２号証には、「情報入出力装置」に関して以下の事項が記載されている。
　　（カ）「光源から出た光は集光光学系（図示せず）を経て、液晶電気光学装置３へ照射される。液晶電気光学装置３を透過した光は、光学系４により拡大され、スクリーン５に投射され、スクリーン５には液晶電気光学装置３に表示された画像が拡大して投影される。」（段落0020）
　　（キ）「図２に本発明の情報入出力装置の他の概念図を示す。また、図２に示すように、本体１内に撮像装置８を設け、位置検出手段としてもよい。この場合、スクリーン５の表側から裏側に向かって発光ペン等を用いて光を照射し、その位置を撮像装置８で検出してもよい。このようにすることで、例えスクリーンが大きい場合であっても、その大きさに対応するには光学系を調整するだけでよく、撮像装置８自体の受光面の大きさを変える必要はない。」（段落0038）
　　（ク）「またスクリーン５を光の散乱状態から、高い透光性を有するように可変制御できるようにし、スクリーンの表側に存在する、原稿や物体などを画像として読み取ってもよい。読み取りのための、原稿に向かって照射されるライトを本体１内に設けてもよい。すなわち、撮像装置８をイメージセンサ的に使用する。読み取った画像情報を、記憶装置に記憶させ、スクリーンに表示させることも可能である」（段落0042）
　（ｂ２）上記記載によれば、甲第２号証には、「光源１、液晶電気光学装置２、光学系４」（投光手段）を備える情報入出力装置１が記載され、加えて、情報入出力装置１が、「発光ペン」（表示手段に対して光を発することにより）、「撮像装置８」（表示手段を介して筐体内部に入射された光を検出することにより受け付ける）、および「本体１内に設けられる原稿や物体に向かって照射されるライト」（表示手段を介して被写体に光を照射し）を備えることも記載されている。
　しかしながら、「光源１、液晶電気光学装置２、光学系４」、「撮像装置８」および「ライト」の配置関係につき、本件各発明のような配置関係（上記主要構成）は記載されていない。甲第１号証に記載の画像プリント作成装置に甲第２号証に記載の情報入出力装置を採用しても、上記配置関係にまで至ることはできない。
　（ｃ）甲第３号証から甲第８号証までには、そもそも、本件各発明にいう「投光手段」につき記載がない。
　
（３）まとめ（申立て）
　以上、訂正後の請求項１から請求項４までに係る発明は、特許法第２９条第２項の規定により特許を受けることができない、とすることはできない。
　
５．むすび
　以上のとおりであるから、特許異議の申立ての理由及び証拠によっては、訂正後の請求項１から請求項４までに係る特許を取り消すことはできない。
　また、他に、訂正後の請求項１から請求項４までに係る特許を取り消すべき理由を発見しない。
　よって、結論のとおり決定をする。
【異議決定日】
平成１７年１１月２４日（２００５．１１．２４）
【訂正の要旨】
審決（決定）の【理由】欄参照。
（５４）【発明の名称】
画像印刷装置
（５７）【特許請求の範囲】
　【請求項１】被写体を撮影する撮影手段と、
　
前記撮影手段が撮影するとき、前記被写体に光を照射する複数の照射手段と、
　
筐体内部に設置され、
　前記投光手段により投光された光に対応する画像を表示する表示手段と、
　
前記表示手段に対して光を発することにより、
２つの
　前記入力手段からの編集入力を受け付ける受付手段と、
　前記受付手段により受け付けられた前記編集入力に基づいて前記画像を編集する編集手段と、
　前記編集手段により編集された前記画像を印刷する印刷手段と
　を備え、
　
前記複数の照射手段は、前記投光手段の左右近傍に設置され、前記表示手段を介して、前記被写体に光を照射し、
　前記受付手段は、
前記投光手段の奥行き方向に設けられ、
前記
　ことを特徴とする画像印刷装置。
　
【請求項２】
　ことを特徴とする
請求項１
　
【請求項３】
　前記撮影手段は、前記表示手段が前記マークを表示したとき、前記被写体を撮影する
　ことを特徴とする
請求項１
　
【請求項４】
　ことを特徴とする請求項１乃至
３
【発明の詳細な説明】
　【０００１】
　【発明の属する技術分野】
　本発明は、画像印刷装置に関し、特に、多くの利用者が、編集情報を迅速かつ効率的に入力することができるようにする画像印刷装置に関する。
　【０００２】
　【従来の技術】
　最近、利用者の画像を撮影し、これを予め用意された背景画像と合成してシール紙などに印刷して出力する画像印刷装置（例えば、プリント倶楽部（商標））が人気を博している。
　【０００３】
　例えば、特開２０００−６９４０４号公報には、このような画像印刷装置において、表示部に表示されている被写体の画像上に、付属のペンで、文字、図形などを書き込むことができるようにすることが提案されている。この場合、利用者は、自分自身の撮影画像上に任意の文字、マークなどを書き込んでプリント画像を作成することができる。
　【０００４】
　【発明が解決しようとする課題】
　しかしながら、上述した公報に記載されている画像印刷装置は、画像の表示部が狭いため、多くの利用者が撮影画像を迅速に確認することが困難である課題があった。
　【０００５】
　本発明はこのような状況に鑑みてなされたものであり、多くの利用者が、編集情報を迅速かつ効率的に入力することができるようにするものである。
　【０００６】
　【課題を解決するための手段】
　本発明の画像印刷装置は、被写体を撮影する撮影手段と、
撮影手段が撮影するとき、被写体に光を照射する複数の照射手段と、筐体内部に設置され、
表示手段に対して光を発することにより、
２つの
複数の照射手段は、投光手段の左右近傍に設置され、表示手段を介して、被写体に光を照射し、
投光手段の奥行き方向に設けられ、
　【０００７】
　前記撮影手段は、例えば、図１のＣＣＤカメラ１１により、前記投光手段は、例えば、図３の映像出力装置４１により、前記表示手段は、例えば、図１のスクリーン１３により、前記入力手段は、例えば、図１のライトペン１４Ｌ，１４Ｒにより、前記受付手段は、例えば、図３の入力位置検出カメラ４５により、前記編集手段は、例えば、図６のステップＳ１２の処理を実行するＣＰＵ６１により、前記印刷手段は、例えば、図４のプリンタ６７により、それぞれ構成される。
　【０００８】
　本発明の画像印刷装置においては、被写体が撮影され、
撮影されるとき、筐体内部に設置された投光手段の左右近傍に設置される複数の照射手段により表示手段を介して被写体に光が照射される。また、
投光手段により
複数の入力手段が表示手段に対して光を発することにより、
。そして、表示手段に表示された画像に対する編集入力の入力位置は、投光手段の奥行き方向に設けられた受付手段により、入力手段から、表示手段を介して筐体内部に入射された光が検出されることにより受け付けられ、
　【０００９】
　本発明の画像印刷装置によれば、被写体を撮影し、撮影した被写体の画像に対応する光を投光し、投光した光に対応する画像を表示し、表示した画像に対する編集情報を入力し、編集入力を受け付け、受け付けた編集入力に基づいて画像を編集し、編集した画像を印刷するようにしたので、多くの利用者が、確実かつ迅速に、編集情報を入力することができる。
　【００１１】
　前記被写体を照明する光の光源は、例えば、図３の撮影用光源４３により構成される。
　【００１２】
　【００１３】
　被写体を照明する光の光源を、投光手段の近傍に配置することにより、映像用光源のための反射板と、撮影用光源のための反射板とを、それぞれ分けて配置することなく、図３に示すように、反射板４２を１つ設置するだけで、構成することが可能となる。
　【００１４】
　撮影手段が被写体を撮影するとき、表示手段には、その全面に白の画像が表示されるようにすることができる。
　【００１５】
　【００１６】
　表示手段は、利用者により選択された所定のマークを表示し、撮影手段は、表示手段がマークを表示したとき、被写体を撮影するようにすることができる。
　【００１７】
　前記マークは、例えば、星模様、またはバツ模様とすることができる。
　【００１８】
　表示手段は、所定のマークを表示し、撮影手段は、表示手段がマークを表示したとき、被写体を撮影することにより、利用者の黒目部分に、スクリーン１３に表示されたマークを写り込ませて撮影することができる。
　【００１９】
　【００２０】
　【００２１】
　【００２２】
　撮影手段を上下左右に案内するレールをさらに備えるようにすることができる。
　【００２３】
　前記レールは、例えば、図１２のスライドレール１０１Ｕ，１０１Ｄ，１０１Ｖにより構成される。
　【００２４】
　撮影手段を上下左右に案内するレールをさらに備えるようにすることにより、利用者は、様々な角度にＣＣＤカメラ１１を移動させて、撮影を楽しむことができる。
　【００２５】
　【発明の実施の形態】
　図１は、本発明を適用した画像印刷装置の外観の構成を示している。画像印刷装置１の筐体１０の正面上方には、ＣＣＤ（Ｃｈａｒｇｅ　Ｃｏｕｐｌｅｄ　Ｄｅｖｉｃｅ）カメラ１１が設けられている。利用者は、ＣＣＤカメラ１１に取り付けられているカメラ調整バー１２を手動操作することで、ＣＣＤカメラ１１の撮影角度を変更することができ、好みの角度に調整して、自らの写真（画像）を撮影する。
　【００２６】
　ＣＣＤカメラ１１で撮影した画像は、その下に配置されている、例えば、画面サイズが２９インチ以上のスクリーン１３に表示される。スクリーン１３は、筐体１０に内蔵されている映像用光源としての映像出力装置４１（図３）から出射された映像信号に対応する光が照射され、撮影した画像を表示する。また、スクリーン１３は、撮影手順の進行に必要な各種選択ボタンなどを表示する。
　【００２７】
　スクリーン１３の下方の左右には、ライトペン１４Ｌ，１４Ｒが筐体１０とケーブルで繋がれた状態で設けられており、利用者は、スクリーン１３に表示されている選択ボタンなどをライトペン１４Ｌ，１４Ｒを利用して選択することができる。また、利用者は、スクリーン１３に表示されている自分自身の画像に対して、ライトペン１４Ｌ，１４Ｒを利用し、落書きなどの画像編集を入力することができる。図１の例においては、ライトペン１４Ｌ，１４Ｒが２つ設けられており、２人の利用者が落書きなどを同時に入力することができる。
　【００２８】
　ライトペン１４Ｌ，１４Ｒから発せられる赤外線は、スクリーン１３を透過して筐体１０の内部に設けられている反射板４２を介して入力位置検出カメラ４５（図３）により受光され、入力位置が検出される。入力位置検出カメラ４５から入力位置の通知を受けたＣＰＵ６１（図４）は、落書き編集処理し、落書きを施した画像をスクリーン１３に表示させる。筐体１０の内部構成については、図３および図４を参照して後述する。なお、ライトペン１４Ｌ，１４Ｒには、筐体１０に設けられている突起部１０Ｌ，１０Ｒに係止することができるフック１４ＬＡ，１４ＲＡが取り付けられており、使用しない場合、図のように格納される。
　【００２９】
　ライトペン１４Ｌ，１４Ｒの下方に設けられているスピーカ１５Ｌ，１５Ｒは、利用者に対して、硬貨を投入してからの撮影手順を案内する音声ガイダンスや、利用者がスクリーン１３に表示されている自分自身の撮影画像に対して、後述する編集入力を入力する際の音声ガイダンスなどをステレオ方式で出力する。
　【００３０】
　スクリーン１３の下方右側には、硬貨投入口１６が設けられている。利用者が所定の代金を硬貨投入口１６に投入すると、撮影手順が開始される。
　【００３１】
　筐体１０の右側面には、シール取出口１７が設けられており、撮影し、画像編集した撮影画像が、所定数に分割されたシールに印刷されて排出される。
　【００３２】
　筐体１０の前方には、ケーブルを介して、カメラのズームイン機能を操作するとき操作されるズームイン用フットスイッチ１８、カメラのズームアウト機能を操作するとき操作されるズームアウト用フットスイッチ１９、およびシャッターを操作するとき操作される撮影用フットスイッチ２０が設けられており、利用者は、筐体１０から離れたところで、各種機能を足で操作することができる。なお、各フットスイッチのケーブルは、通常、床下を通って筐体１０に接続される。
　【００３３】
　筐体１０の上部には、図２に示すように水平前方にカーテンフレーム３１Ｌ，３１Ｒが取り付けられ、それらにカーテン３２が設けられる。カーテン３２は、外光を遮断し、良好な画像を撮影することができるようにする。また、筐体１０の前方には、筐体１０の幅（カーテンフレーム３１Ｌとカーテンフレーム３１Ｒの距離）とほぼ同一幅の２段の階段３３が設置されている。利用者は、撮影する場合、階段３３を利用して、様々なポーズを取って、自分自身を撮影することができる。また、階段３３に替えて、１段の撮影用踏台としてもよい。
　【００３４】
　図３（Ａ）は、筐体１０の正面を示す図であり、内部の構成を点線で示している。また、図３（Ｂ）は、筐体１０の右側面を示す図であり、図３（Ａ）と同様に、内部の構成を点線で示している。
　【００３５】
　映像出力装置４１が発する光画像信号（例えば、利用者が撮影した自分自身の画像）は、図３（Ｂ）に示すように、映像出力装置４１の上方に設けられ、光画像信号をスクリーン１３に向けて反射するように、所定の角度に傾斜して配置されている反射板４２により反射され、スクリーン１３に照射（投影）される。
　【００３６】
　映像出力装置４１の左右近傍には、撮影用光源４３Ｌ，４３Ｒが設けられており、ＣＣＤカメラ１１が撮影を行う際のフラッシュ（閃光）を発生する。撮影用光源４３Ｌ，４３Ｒからのフラッシュは、拡散板４４Ｌ，４４Ｒで拡散され、映像信号と同様に反射板４２で反射されるため、スクリーン１３の正面に位置している利用者（被写体）の全体を均一に照明することができる。
　【００３７】
　映像出力装置４１の奥行方向には、さらに、入力位置検出カメラ４５が設けられており、利用者がライトペン１４Ｌ，１４Ｒを操作して入力する編集入力の、スクリーン１３に表示された画像に対応する入力位置を検出する。すなわち、ライトペン１４Ｌ，１４Ｒから発せられ、スクリーン１３を透過して筐体１０の内部に入射された赤外線は、反射板４２で反射され、可視光遮断フィルタ４６を介して入力位置検出カメラ４５により受光される。なお、可視光遮断フィルタ４６は、赤外線以外の成分の光を遮断し、ライトペン１４Ｌ，１４Ｒから発せられた赤外線のみを入力位置検出カメラ４５に供給する。
　【００３８】
　図４は、画像印刷装置１の内部の電気的構成例を示すブロック図である。図１乃至図３と対応する部分については同一符号を付してある。
　【００３９】
　ＣＰＵ（Ｃｅｎｔｒａｌ　Ｐｒｏｃｅｓｓｉｎｇ　Ｕｎｉｔ）６１は、ＲＯＭ（Ｒｅａｄ　Ｏｎｌｙ　Ｍｅｍｏｒｙ）６２に記憶されているプログラムに従って、全体の動作、処理を制御する。すなわち、各処理部は、バス６０を介してＣＰＵ６１に接続され、制御される。
　【００４０】
　ＲＡＭ（Ｒａｎｄｏｍ　Ａｃｃｅｓｓ　Ｍｅｍｏｒｙ）６３は、ＣＰＵ６１の作業用データを記憶するとともに、各処理部において利用者が行った選択、指示などのデータを一時的に記憶する。また、ＲＡＭ６３は、内部にＣＣＤカメラ１１の撮影画像を記憶するためのフレームバッファを有する。フレームバッファは、デュアルポートメモリにより構成され、それぞれの領域が一枚分の撮影画像を記憶できる２つの領域に分けて使用される。フレームバッファの第１の領域には、ＣＣＤカメラ１１からの取り込み画像が入力され、撮影後は、撮影した画像（利用者がフレーム画像を選択した場合には、撮影画像とフレーム画像）が記憶される。
　【００４１】
　一方、第２の領域は、落書き処理や明るさ調整などの編集処理において使用される記憶領域であり、撮影が終了した時点では、第１の領域と同一の撮影画像が記憶される。すなわち、編集処理において、利用者がライトペン１４Ｌ，１４Ｒを利用して落書きを入力すると、その入力データが第２の領域内に書き込まれる。なお、利用者は、消しゴム処理を指定することにより、一度付加した落書きを消去し、元の画像に戻すことができる。その場合、ＲＡＭ６３は、その消しゴムで指定された部分の画像データを第１の領域から読み出し、第２の領域に書き込ことにより、利用者が消しゴムで指定した部分を、落書き処理を行う前の撮影画像に戻す。
　【００４２】
　ドライバ６４は、図示せぬＣＤ−ＲＯＭ（Ｃｏｍｐａｃｔ　Ｄｉｓｋ−Ｒｅａｄ　Ｏｎｌｙ　Ｍｅｍｏｒｙ）などの記録媒体を駆動し、記録情報を読み出す。ＣＤ−ＲＯＭなどの記録媒体には、撮影処理、落書き処理などを含む種々の処理を行うためのプログラムが記録されており、それらのプログラムは実行時に、ＲＡＭ６３に転送されて実行される。また、ＣＤ−ＲＯＭには、音声のガイダンスデータが記録されており、音声出力装置６８は、ＣＰＵ６１の指示に基づいてＣＤ−ＲＯＭに記録されている音声ガイダンスデータを読み出してスピーカ１５Ｌ，１５Ｒに出力する。スピーカ１５Ｌ，１５Ｒが利用者に対して出力するガイダンスには、操作方法や、撮影直前のカウントダウンなどが含まれる。
　【００４３】
　ズーム駆動モータ６５は、利用者がズームイン用フットスイッチ１８、または、ズームアウト用フットスイッチ１９を操作することにより入力した信号を、入力検出部７０を介して受信したＣＰＵ６１からの指示に基づいてズーム機能を駆動する。
　【００４４】
　硬貨処理部６６は、硬貨投入口１６から投入された硬貨の金額を検出し、所定の代金が投入されたと判定した場合、その旨をＣＰＵ６１に通知する。
　【００４５】
　プリンタ６７は、画像シールを作成する部分であり、ＣＣＤカメラ１１により撮影され、後述の落書き処理などが施された後の画像（プリントすべきとして確定した画像、以下、プリント画像と称する）をシール紙などに印刷し、出力する。プリンタ６７は、利用者が選択したプリント画像を、所定の分割単位で剥がせるようなシールシート上に印刷する。
　【００４６】
　撮影用光源駆動装置６９は、利用者の撮影用フットスイッチ２０の操作に対応するＣＰＵ６１からの指示に基づいて、ＣＣＤカメラ１１が被写体を撮影するタイミングにおいて、撮影用光源４３Ｌ，４３Ｒを駆動し、被写体にフラッシュを照射する。
　【００４７】
　入力検出部７０は、利用者がズームイン用フットスイッチ１８、ズームアウト用フットスイッチ１９、または、撮影用フットスイッチ２０を操作することにより入力した入力信号を検出し、ＣＰＵ６１に通知する。
　【００４８】
　次に、図５および図６のフローチャートを参照して、画像印刷装置の印刷処理について説明する。
　【００４９】
　ステップＳ１において、ＣＰＵ６１は、硬貨処理部６６からの通知に基づいて、代金が投入されたか否かを判定する。ＣＰＵ６１は、代金が投入されたと判定するまで、ドライバ６４が図示せぬＣＤ−ＲＯＭから読み出したデモ画面をスクリーン１３に表示させる。すなわち、このとき、デモ画面の画像データが映像出力装置４１に供給され、光画像信号に変換される。この光画像信号は、反射板４２で反射され、スクリーン１３に投影され、表示される。ＣＰＵ６１は、代金が投入されたと判定した場合、ステップＳ２の処理に進む。
　【００５０】
　ステップＳ２において、ＣＰＵ６１は、ＣＣＤカメラ１１が撮影している取り込み画像に、ドライバ６４から提供された撮影案内画面を重畳した映像信号を生成し、映像出力装置４１に供給する。この映像信号は、光画像信号に変換され、反射板４２を介してスクリーン１３に投影され、表示される。撮影案内には、ＣＣＤカメラ１１の撮影角度をカメラ調整バー１２で調整できる旨の案内、各種フットスイッチを操作してカメラ調整、撮影開始などが指示できる旨の案内などが含まれる。また、ＣＰＵ６１は、撮影案内画面を表示させるとともに、音声出力装置６８に対して、ドライバ６４から提供された音声ガイダンスを出力させることもできる。
　【００５１】
　ステップＳ３において、ＣＰＵ６１は、ズーム調整のフットスイッチ（ズームイン用フットスイッチ１８、またはズームアウト用フットスイッチ１９）が操作されたか否かを入力検出部７０からの通知に基づいて判定する。ＣＰＵ６１は、ズーム調整用のフットスイッチが操作されたと判定した場合、ステップＳ４の処理に進む。
　【００５２】
　ステップＳ４において、ＣＰＵ６１は、ステップＳ３でズームイン用フットスイッチ１８が操作されたと判定した場合、ズーム駆動モータ６５に対して、被写体にズームインすることを指示し、ズームアウト用フットスイッチ１９が操作されたと判定した場合、ズーム駆動モータ６５に対して、被写体からズームアウトすることを指示する。その後、ＣＰＵ６１は、ステップＳ２の処理に戻り、それ以降の処理を繰り返し実行する。
　【００５３】
　ステップＳ３において、ＣＰＵ６１は、入力検出部７０からの通知に基づいて、ズーム調整用のフットスイッチが操作されていないと判定した場合、ステップＳ５の処理に進む。
　【００５４】
　ステップＳ５において、ＣＰＵ６１は、入力検出部７０からの通知に基づいて、撮影用フットスイッチ２０が操作されたか否かを判定する。ＣＰＵ６１は、撮影用フットスイッチ２０が操作されていないと判定した場合、ステップＳ６の処理に進む。
　【００５５】
　ステップＳ６において、ＣＰＵ６１は、代金投入後、ＣＣＤカメラ１１の調整用に設けた所定時間が経過したか否かを判定する。ＣＰＵ６１は、所定時間が経過していないと判定した場合、ステップＳ２の処理に戻り、それ以降の処理を繰り返し実行する。
　【００５６】
　一方、ステップＳ６において、ＣＰＵ６１は、所定時間が経過したと判定した場合、ステップＳ７の処理に進む。また、ステップＳ５において、ＣＰＵ６１は、入力検出部７０からの通知に基づいて、撮影用フットスイッチ２０が操作されたと判定した場合、ステップＳ６の処理をスキップし、ステップＳ７に進む。
　【００５７】
　ステップＳ７において、ＣＰＵ６１は、撮影までのカウントダウンの画像（例えば、数字が所定の周期で、５，４，３，２，１と順次小さい値となる画像）をスクリーン１３に表示させるとともに、スピーカ１５Ｌ，１５Ｒから音声でカウントダウンを出力させる。
　【００５８】
　ステップＳ７の処理でカウントダウンの処理が終了したとき、ステップＳ８において、ＣＰＵ６１は、ＣＣＤカメラ１１に対して撮影することを指示する。それとともに、撮影用光源駆動装置６９に対して、フラッシュの発生を指示する。撮影用光源４３Ｌ，４３Ｒから出射され、拡散板４４Ｌ，４４Ｒで拡散されたフラッシュは、反射板４２Ｌ，４２Ｒで反射されてスクリーン１３を透過し、利用者に照射される。このとき、ＣＣＤカメラ１１が撮影した撮影画像データは、ＲＡＭ６３のフレームバッファの第１および第２の領域に記憶される。なお、このとき、フラッシュを効果的に被写体に照射させるため、フラッシュ発生時は、映像出力装置４１が出力する光画像信号は、全面が白色の画像とされる。白色の光画像信号に基づく照明だけで、充分な明るさを確保することができる場合には、撮影用光源４３Ｌ，４３Ｒを省略することもできる。
　【００５９】
　ステップＳ９において、ＣＰＵ６１は、スクリーン１３に画像確認画面を表示させる処理を実行する。すなわち、ＣＰＵ６１は、ＲＡＭ６３に記憶されている撮影画像を読み出し、映像出力装置４１で光画像信号に変換させ、スクリーン１３に表示させる。画像確認画面には、表示されている画像をプリントすることに対して、利用者に承諾を求めるための不図示の選択ボタン（例えば、「ＹＥＳボタン」、「ＮＯボタン」）が表示される。それに対して、利用者は、ライトペン１４Ｌ，１４Ｒを操作して、赤外線を発生させ、プリントするか否かを選択する。入力位置検出カメラ４５は、反射板４２で反射され、可視光遮断フィルタ４６を介して供給された赤外線から、スクリーン１３上の操作された位置を識別し、ＣＰＵ６１に通知する。
　【００６０】
　ステップＳ１０において、ＣＰＵ６１は、入力位置検出カメラ４５からの通知に基づいて、ステップＳ８の処理で撮影した画像をプリントすることが確認されたか否かを判定する。ＣＰＵ６１は、確認されていない（「ＮＯボタン」が選択された）と判定した場合、ステップＳ２の処理に戻り、それ以降の処理を繰り返し実行する。
　【００６１】
　ステップＳ１０において、ＣＰＵ６１は、画像をプリントすることが確認された（「ＹＥＳボタン」が選択された）と判定した場合、ステップＳ１１の処理に進む。
　【００６２】
　ステップＳ１１において、ＣＰＵ６１は、スクリーン１３に、選択した画像に対して落書き処理を行うか否かを選択するボタンを表示させる。そして、ＣＰＵ６１は、入力位置検出カメラ４５からの通知に基づいて、落書き処理が選択されたか否か（そのボタンが操作されたか否か）を判定する。
　【００６３】
　ステップＳ１１において、ＣＰＵ６１は、入力位置検出カメラ４５からの通知に基づいて、落書き処理を実行することが選択されたと判定した場合、ステップＳ１２の処理に進む。
　【００６４】
　ステップＳ１２において、ＣＰＵ６１は、落書き画面をスクリーン１３に表示させる。落書き画面には、利用者に対して、撮影画像に落書する色を選択するとき操作される「色選択ボタン」、落書きの線の太さを選択するとき操作される「太さ選択ボタン」、落書き処理を終了して、落書き編集されたプリント画像をプリントするとき操作される「プリントボタン」などが表示される（いずれも図示せず）。
　【００６５】
　また、ステップＳ１２において、ＣＰＵ６１は、落書き入力に基づいて画像編集処理を実行する。すなわち、ＣＰＵ６１は、ＲＡＭ６３のフレームバッファの第２の領域に記憶されている画像に対して、入力位置検出カメラ４５から通知された位置に対応する画像データを上書きする。
　【００６６】
　ステップＳ１３において、ＣＰＵ６１は、落書き処理のために予め設定されている所定時間が経過したか否か、または、スクリーン１３に表示されているプリントボタン（図示せず）が操作されたか否かを判定する。ＣＰＵ６１は、所定時間が経過しておらず、かつ、プリントボタンが操作されていないと判定した場合、ステップＳ１２の処理に戻り、それ以降の処理を繰り返し実行する。
　【００６７】
　ステップＳ１３において、ＣＰＵ６１は、所定時間が経過した、または、入力位置検出カメラ４５からの通知に基づいて、プリントボタンが操作されたと判定した場合、ステップＳ１４の処理に進む。また、ステップＳ１１において、ＣＰＵ６１は、落書き処理が選択されていないと判定した場合、ステップＳ１２，Ｓ１３の処理をスキップし、ステップＳ１４に進む。
　【００６８】
　ステップＳ１４において、ＣＰＵ６１は、シールシートのサイズを利用者に選択させる分割数選択画面を表示させる。利用者は、この画面から、ライトペン１４Ｌ，１４Ｒを操作することで分割数を選択する。
　【００６９】
　ステップＳ１５において、ＣＰＵ６１は、プリンタ６７に対して、利用者が選択した分割数のシールシートに、画像（ＲＡＭ６３のフレームバッファの第２の領域に記憶されている画像）をプリントすることを指示する。この指示に基づいてプリンタ６７によりプリントが行われ、シールシートがシール取出口１７から排出される。その後、処理はステップＳ１に戻り、それ以降の処理が繰り返し実行される。
　【００７０】
　以上においては、撮影用光源４３Ｌ，４３Ｒを映像出力装置４１の近傍に配置することとしたが、図７に示すように、離して配置することもできる。
　【００７１】
　図７に示すように、筐体１０の内部の左右後方に、撮影用光源４３Ｌ，４３Ｒ、拡散板４４Ｌ，４４Ｒ、フラッシュ反射板８２Ｌ，８２Ｒより構成されるフラッシュボックス８１Ｌ，８１Ｒが設けられる。フラッシュ反射板８２Ｌ，８２Ｒは、図７（Ａ）に示すように、筐体１０の上部に近づくにつれ、筐体１０の前方に向かって曲線を描いており、撮影用光源４３Ｌ，４３Ｒから発せられたフラッシュがスクリーン１３の全面に照射できるように構成されている。
　【００７２】
　図８は、本発明を適用した画像印刷装置１の他の外観の構成を示している。
　【００７３】
　画像印刷装置１の筐体１０の前面に設けられているスクリーン１３の両側には、フラッシュ照射口９１Ｌ，９１Ｒが設けられている。図１の画像印刷装置１において、撮影するときに照射されるフラッシュは、スクリーン１３から照射されることとしたが、図８の画像印刷装置１においては、フラッシュ照射口９１Ｌ，９１Ｒからフラッシュが照射される。
　【００７４】
　図９（Ａ）は、図８の画像印刷装置１の正面を、図９（Ｂ）は、図８の画像印刷装置１の右側面を、図１０は、図８の画像印刷装置１の上面を、それぞれ示す図である。図１０に示すように、フラッシュボックス８１Ｌ，８１Ｒはスクリーン１３の左右に垂直方向に配置されている。なお、フラッシュボックス８１Ｌ，８１Ｒは、図９（Ｂ）に示すように、図７（Ａ）に示すフラッシュボックス８１Ｌ，８１Ｒと同様に構成される。ただし、フラッシュ反射板８２Ｌ，８２Ｒは、フラッシュをフラッシュ照射口９１Ｌ，９１Ｒから出射するように構成されている。
　【００７５】
　このように、フラッシュ照射口９１をスクリーン１３の両側に設ける場合、利用者に、自分の黒目部分に様々な模様を写り込ませて、撮影させることができる。すなわち、この場合、ＣＰＵ６１は、撮影のタイミング（フラッシュが発生されるタイミング）において、ＣＣＤカメラ１１により撮影された画像に代えて、利用者が選択した特殊記号（所定のマーク）をスクリーン１３の全体に同時に表示させることにより、利用者の黒目部分に特殊記号を写り込ませ、撮影する。
　【００７６】
　図１１は、写り込み効果を説明する図である。図１１（Ａ）は、撮影する瞬間に、黒地に白色の星の図形をスクリーン１３の全体に大きく表示させると、利用者の黒目部分には、対応する星の図形が写り込むこと（「瞳キラキラ」）を示している。また、図１１（Ｂ）は、撮影する瞬間に、黒地に白色のバツの図形をスクリーン１３の全体に大きく表示させると、利用者の黒目部分には、対応するバツの図形が写り込むこと（「瞳キラキラ」）を示している。
　【００７７】
　図１２は、本発明を適用した画像印刷装置１のさらに他の外観を示す図である。
　【００７８】
　図１２の画像印刷装置１においては、フラッシュボックス８１Ｌ，８１Ｒが、筐体１０の左右上部に取り付けられている。これにより、利用者は、上述した写り込み効果を利用した撮影を楽しむことができる。また、筐体１０の正面の上部と下部には、スライドレール１０１Ｕ，１０１Ｄが取り付けられており、スライドレール１０１Ｖの上端と下端は、それぞれスライドレール１０１Ｕ，１０１Ｄに、スライド自在に取り付けられ、ＣＣＤカメラ１１は、スライドレール１０１Ｖにスライド自在に取り付けられている。従って、利用者は、カメラ調整バー１２を手動操作して、ＣＣＤカメラ１１を上下方向、および左右方向に移動させて、様々な角度から撮影を楽しむことができる。
　【００７９】
　以上においては、利用者がライトペン１４Ｌ，１４Ｒを利用して落書きを入力した場合、ライトペン１４Ｌ，１４Ｒから発せられる赤外線を、入力位置検出カメラ４５が受光し、落書き入力の位置を検出することとしたが、スクリーン１３に超音波方式のタッチパネルを積層させることによっても、落書きの入力位置を検出させることができる。超音波方式のタッチパネルの隅には、超音波発振子が取り付けられており、タッチパネルに繋がれた位置検出部は、発振子から発振された超音波が受信子に到達する時間を測定することにより落書き位置を検出する。利用者がタッチパネル上に落書きを入力した場合、その位置で、入力ペンなどにより超音波が吸収されるため、位置検出部は、弱まった超音波が受信子に到達するまでの時間を測定し、入力位置を測定する。
　【００８０】
　【発明の効果】
　本発明の画像印刷装置によれば、撮影した画像を、プロジェクション方式で、大きなスクリーンに表示するようにしたので、多くの利用者が、編集情報を迅速かつ効率的に入力することができる。
【図面の簡単な説明】
　【図１】
　本発明を適用した画像印刷装置の外観の構成例を示す斜視図である。
　【図２】
　本発明を適用した画像印刷装置の他の外観の構成例を示す斜視図である。
　【図３】
　本発明を適用した画像印刷装置の正面および右側面の構成を示す図である。
　【図４】
　本発明を適用した画像印刷装置の内部の電気的構成例を示すブロック図である。
　【図５】
　本発明を適用した画像印刷装置の処理を説明するフローチャートである。
　【図６】
　図５に続くフローチャートである。
　【図７】
　本発明を適用した他の画像印刷装置の右側面および上面の構成を示す図である。
　【図８】
　本発明を適用した画像印刷装置のさらに他の外観の構成例を示す斜視図である。
　【図９】
　本発明を適用した画像印刷装置の正面および右側面の構成を示す図である。
　【図１０】
　本発明を適用した画像印刷装置の上面の構成を示す図である。
　【図１１】
　写り込み効果を説明する図である。
　【図１２】
　本発明を適用した画像印刷装置の外観の構成例を示す斜視図である。
　【符号の説明】
　１　画像印刷装置
　１０　筐体
　１１　ＣＣＤカメラ
　１２　カメラ調整バー
　１３　スクリーン
　１４Ｌ，１４Ｒ　ライトペン
　１８　ズームイン用フットスイッチ
　１９　ズームアウト用フットスイッチ
　２０　撮影用フットスイッチ
　３３　階段
　４１　映像出力装置
　４２　反射板
　４３Ｌ，４３Ｒ　撮影用光源
　４４Ｌ，４４Ｒ　拡散板
　４５　入力位置検出カメラ
　４６　可視光遮断フィルタ
　６０　バス
　６１　ＣＰＵ
　６２　ＲＯＭ
　６３　ＲＡＭ
　６４　ドライバ
　６５　ズーム駆動モータ
　６９　撮影用光源駆動装置
　８１Ｌ，８１Ｒ　フラッシュボックス
　８２Ｌ，８２Ｒ　フラッシュ反射板
　９１Ｌ，９１Ｒ　フラッシュ照射口
　１０１Ｕ，１０１Ｄ，１０１Ｖ　スライドレール